(57)【要約】      （修正有）【課題】サービス提供者のアカウントで記憶された画像中、サービス利用者に関する画像をサービス利用者がサービス利用後にも活用することが可能な画像管理装置、画像管理方法、プログラム、及び記録媒体を提供する。【解決手段】アカウント紐付部が、サービス利用者がサービス提供者によるサービスの利用を開始した場合に、サービス利用者のユーザアカウントとサービス提供者のユーザアカウントとを紐付けし、解析部が、サービス提供者のユーザアカウントに対する画像記憶部に記憶された画像中、サービス利用者のユーザアカウントとサービス提供者のユーザアカウントとの紐付後に記憶された画像を対象画像として、対象画像に写っているオブジェクトを解析し、画像送付部が、サービス利用者と関連するオブジェクトが対象画像に写っているとき、予め設定された画像送付時点にて対象画像を、サービス利用者のユーザアカウントに対する画像記憶部に送付する。【選択図】図１０
2020052670.tif 000002
【特許請求の範囲】
【請求項１】
ユーザアカウントを記憶するアカウント記憶部と、
前記ユーザアカウント別に設けられた画像記憶部と、
サービス利用者がサービス提供者によるサービスの利用を開始した場合に、前記サービス利用者の前記ユーザアカウントと前記サービス提供者の前記ユーザアカウントとを紐付けするアカウント紐付部と、
前記サービス提供者の前記ユーザアカウントに対する前記画像記憶部に記憶された画像中、前記サービス利用者の前記ユーザアカウントと前記サービス提供者の前記ユーザアカウントとの紐付後に記憶された画像を対象画像とし、前記対象画像に写っているオブジェクトを解析する解析部と、
前記サービス利用者と関連する前記オブジェクトが前記対象画像に写っているとき、予め設定された画像送付時点にて前記対象画像を、前記サービス利用者の前記ユーザアカウントに対する前記画像記憶部に送付する画像送付部と、
を有することを特徴とする画像管理装置。
【請求項２】
前記サービス利用者が前記サービスの利用を終えると、前記サービス提供者の前記ユーザアカウントに対する前記画像記憶部に記憶された画像中、前記サービス利用者の前記ユーザアカウントに対する前記画像記憶部に送付された前記対象画像を、前記サービス提供者の前記ユーザアカウントに対する前記画像記憶部から削除する画像削除部を備える請求項１に記載の画像管理装置。
【請求項３】
前記画像送付時点は、前記サービス利用者が前記サービスの利用を終えた後に設定される請求項１又は２に記載の画像管理装置。
【請求項４】
前記解析部は、前記サービス提供者の前記ユーザアカウントに対する前記画像記憶部に新たな画像が記憶されると、前記新たな画像を前記対象画像として、前記対象画像に写っているオブジェクトを解析し、
前記サービス利用者と関連する前記オブジェクトが前記対象画像としての前記新たな画像に写っているとき、前記画像送付部は、前記新たな画像を、前記サービス利用者の前記ユーザアカウントに対する前記画像記憶部に送付する請求項１又は２に記載の画像管理装置。
【請求項５】
前記対象画像は、前記サービス提供者の前記ユーザアカウントに対する前記画像記憶部に記憶された画像中、前記サービス利用者である個人が前記サービスを利用するために前記サービス提供者である団体に所属した後に記憶された画像である請求項１乃至４のいずれか一項に記載の画像管理装置。
【請求項６】
前記画像送付部は、前記対象画像に写っている前記オブジェクトが前記サービス利用者であるとき、前記画像送付時点にて前記対象画像を、前記サービス利用者の前記ユーザアカウントに対する前記画像記憶部に送付する請求項１乃至５のいずれか一項に記載の画像管理装置。
【請求項７】
画像の取り扱いに関する権限を前記ユーザアカウント別に設定する権限設定部を有し、
前記画像送付部が前記対象画像を前記サービス利用者の前記ユーザアカウントに対する前記画像記憶部に送付したとき、前記権限設定部は、前記権限として、前記対象画像の読み出しを許可し、且つ、外部機器への前記対象画像の複製を禁止した制限付き権限を、前記サービス利用者の前記ユーザアカウントに対して設定する請求項２に記載の画像管理装置。
【請求項８】
前記権限設定部は、前記サービス提供者の前記ユーザアカウントに対する前記画像記憶部に記憶された画像についての前記権限として、読み出し及び外部機器への複製を含む取り扱い全てを許可する全許可権限を、前記サービス提供者の前記ユーザアカウントに対して設定し、
前記画像送付部が前記対象画像を前記サービス利用者の前記ユーザアカウントに対する前記画像記憶部に送付した後の時点において、前記サービス提供者の前記ユーザアカウントに対する前記対象画像の前記権限が前記全許可権限のままである請求項７に記載の画像管理装置。
【請求項９】
前記画像削除部が前記サービス提供者の前記ユーザアカウントに対する前記画像記憶部から前記対象画像を削除すると、前記権限設定部が、前記サービス利用者の前記ユーザアカウントに対する前記対象画像の前記権限を、前記制限付き権限から前記全許可権限に設定し直す請求項８に記載の画像管理装置。
【請求項１０】
前記画像削除部が前記サービス提供者の前記ユーザアカウントに対する前記画像記憶部から前記対象画像を削除すると、前記権限設定部が、前記サービス提供者の前記ユーザアカウントに対する前記対象画像の前記権限を、前記全許可権限から前記制限付き権限に設定し直す請求項９に記載の画像管理装置。
【請求項１１】
個人ユーザの前記ユーザアカウントに対する前記画像記憶部に記憶された画像を用いて、前記個人ユーザ固有のアルバムを作成するアルバム作成部を有する請求項１乃至１０のいずれか一項に記載の画像管理装置。
【請求項１２】
前記アルバム作成部は、前記個人ユーザの前記ユーザアカウントに対する前記画像記憶部に記憶された画像中、前記個人ユーザが写った画像を用いて前記アルバムを作成する請求項１１に記載の画像管理装置。
【請求項１３】
前記アルバム作成部は、前記個人ユーザの前記ユーザアカウントに対する前記画像記憶部に記憶された画像中、前記個人ユーザ、及び前記個人ユーザに関係するイベントの参加者が写った画像を用いて前記アルバムを作成する請求項１１又は１２に記載の画像管理装置。
【請求項１４】
前記アルバムの作成に用いられる画像に対して評価値を算出する評価値算出部を有し、
前記評価値算出部は、前記評価値を算出する際に、前記アルバムの作成に用いられる画像に写っているオブジェクトに応じて加点する請求項１１乃至１３のいずれか一項に記載の画像管理装置。
【請求項１５】
アカウント紐付部が、サービス利用者がサービス提供者によるサービスの利用を開始した場合に、前記サービス利用者のユーザアカウントと前記サービス提供者のユーザアカウントとを紐付けするステップと、
解析部が、前記サービス提供者の前記ユーザアカウントに対する画像記憶部に記憶された画像中、前記サービス利用者の前記ユーザアカウントと前記サービス提供者の前記ユーザアカウントとの紐付後に記憶された画像を対象画像とし、前記対象画像に写っているオブジェクトを解析するステップと、
画像送付部が、前記サービス利用者と関連する前記オブジェクトが前記対象画像に写っているとき、予め設定された画像送付時点にて前記対象画像を、前記サービス利用者の前記ユーザアカウントに対する前記画像記憶部に送付するステップと、
を有することを特徴とする画像管理方法。
【請求項１６】
アルバム作成部が、個人ユーザの前記ユーザアカウントに対する前記画像記憶部に記憶された画像を用いて、前記個人ユーザ固有のアルバムを作成するステップを有する請求項１６に記載の画像管理方法。
【請求項１７】
請求項１５又は１６に記載の画像管理方法の各々のステップをコンピュータに実行させるためのプログラム。
【請求項１８】
請求項１５又は１６に記載の画像管理方法の各々のステップをコンピュータに実行させるためのプログラムが記録されたコンピュータ読み取り可能な記録媒体。
【発明の詳細な説明】
【技術分野】
【０００１】
本発明は、ユーザアカウント別に画像を記憶し、サービス提供者のユーザアカウントで記憶されたサービス利用者の画像を、サービス利用者のユーザアカウントで利用可能にするための画像管理装置、画像管理方法、プログラム及び記録媒体に関する。
【背景技術】
【０００２】
個人ユーザが、自分が写っている画像及び自分が撮影した画像を管理する場合には、個人ユーザが所有するパソコン、スマートフォン、及び光学ディスク等の記録メディアなどに保存したり、あるいはソーシャルネットワークサービス（ＳＮＳ）に投稿したりするのが一般的である。しかし、複数の機器に画像を保存してしまうと、画像の保管場所が散在するために画像管理が困難となる。そのため、近年では、画像を一元管理するための画像管理装置（具体的には、サーバーコンピュータ等）が開発されている。
【０００３】
上記の画像管理装置によれば、例えば管理対象とする画像すべてを当該画像管理装置にアップロードすることにより、画像を一元的に管理することが可能となる。また、上記の画像管理装置の中には、アップロードされた画像について他ユーザとの共有（すなわち、他ユーザに対する画像閲覧の許可）を設定することが可能な装置が存在する。このような画像管理装置であれば、あるユーザが画像をアップロードしたときに、共有設定された画像を複数の他のユーザに閲覧させることができる。具体例を挙げて説明すると、サービス提供者（例えば、学校等）がサービス利用者（例えば、学校等に通う学生及びその保護者等）の画像を自己のアカウントでアップロードし、その画像について共有設定をすれば、サービス提供者がアップロードしたサービス利用者の画像を、サービス利用者本人に見せることが可能である。
【０００４】
画像共有の設定が可能な画像管理装置の一例としては、例えば、特許文献１に記載の装置（特許文献１では「クラウド」と表記）が挙げられる。特許文献１に記載の装置は、通信端末からアップロードされた情報（画像等の情報）を格納すると共に、格納された情報を通信端末に対してダウンロードするクラウドである。このクラウドは、通信端末のユーザのそれぞれに対応し、各ユーザからアップロードされる個人ファイルが格納される個人ファイルと、所定の組織に所属する構成員によって共有されて各構成員からアップロードされる組織ファイルが格納される共有フォルダと、個人フォルダと共有フォルダとの間で個人ファイルと組織ファイルとの共有化を図る共有化手段と、を含む。このように構成された特許文献１に記載の装置によれば、複数のユーザ同士、具体的には同じ組織に所属するユーザ同士で、アップロードされたファイルを共有することが可能となる。
【先行技術文献】
【特許文献】
【０００５】
【特許文献１】特開２０１３−２３５３３５号公報
【発明の概要】
【発明が解決しようとする課題】
【０００６】
しかしながら、特許文献１に記載された画像管理装置において、諸処の事情により、共有設定された画像が共有フォルダから削除されたり、それまで閲覧が許可されていた画像が閲覧不可となったりすることがある。その場合には、削除または閲覧不可となった画像をそれ以降に閲覧することができなくなってしまう。また、例えば、「背景技術」の項で説明した具体例において、サービス利用者がサービス提供者によるサービスの利用を終えたとき（例えば、学生が学校を卒業したとき等）、サービス提供者のアカウントで記憶された画像に対して、サービス利用者の閲覧権限がなくなる場合があり、その場合には、サービス提供者のアカウントで記憶された画像のうち、例えばサービス利用者が写っている画像が以降見れなくなってしまう。その結果、上記の画像をサービス利用後に活用すること、例えば、上記の画像を掲載したアルバム（写真集）の作成等が困難となってしまう。
以上の事情により、画像管理装置の機能について、サービス提供者のアカウントで記憶された画像中、サービス利用者に関する画像をサービス利用者がサービス利用後にも活用し得るようにする機能が求められる。
【０００７】
そこで、本発明は、上記の事情に鑑みてなされたものであり、以下に示す目的を解決することを課題とする。
具体的には、本発明は、上記従来技術の問題点を解決し、サービス提供者のアカウントで記憶された画像中、サービス利用者に関する画像をサービス利用者がサービス利用後にも活用することが可能な画像管理装置、画像管理方法、当該画像管理方法をコンピュータに実行させるプログラム、及び、そのプログラムを記録した記録媒体を提供する。
【課題を解決するための手段】
【０００８】
上記の目的を達成するために、本発明の画像管理装置は、ユーザアカウントを記憶するアカウント記憶部と、ユーザアカウント別に設けられた画像記憶部と、サービス利用者がサービス提供者によるサービスの利用を開始した場合に、サービス利用者のユーザアカウントとサービス提供者のユーザアカウントとを紐付けするアカウント紐付部と、サービス提供者のユーザアカウントに対する画像記憶部に記憶された画像中、サービス利用者のユーザアカウントとサービス提供者のユーザアカウントとの紐付後に記憶された画像を対象画像とし、対象画像に写っているオブジェクトを解析する解析部と、サービス利用者と関連するオブジェクトが対象画像に写っているとき、予め設定された画像送付時点にて対象画像を、サービス利用者のユーザアカウントに対する画像記憶部に送付する画像送付部と、を有することを特徴とする。
上記のように構成された画像管理装置では、サービス提供者のユーザアカウントに対する画像記憶部に記憶された画像中、サービス利用者と関連するオブジェクトが写っている画像（以下、『サービス利用者に関する画像』とも言う。）が、サービス利用者のユーザアカウントに対する画像記憶部に送付される。このような構成であれば、サービス提供者のユーザアカウントで記憶されたサービス利用者に関する画像を、サービス利用者がサービス利用後にも活用することが可能となる。
【０００９】
ここで、上記の画像管理装置において、サービス利用者がサービスの利用を終えると、サービス提供者のユーザアカウントに対する画像記憶部に記憶された画像中、サービス利用者のユーザアカウントに対する画像記憶部に送付された対象画像を、サービス提供者のユーザアカウントに対する画像記憶部から削除する画像削除部を備えると、より好適である。
この場合には、ユーザアカウントに対する画像記憶部から、サービス利用者のユーザアカウントに対する画像記憶部に送付された画像を削除することで、サービス提供者のユーザアカウントに対する画像記憶部における使用容量を削減することが可能となる。
【００１０】
また、上記の画像管理装置において、画像送付時点は、サービス利用者がサービスの利用を終えた後に設定されるとよい。
この場合には、サービス提供者のユーザアカウントで記憶されたサービス利用者に関する画像を、サービス利用者がサービス利用後にも活用することが可能となる。また、サービス利用者に関する画像は、サービス利用期間中にはサービス提供者のユーザアカウントで記憶されているので、サービス提供者側で上記の画像を活用することが可能である。
【００１１】
また、上記の画像管理装置において、解析部は、サービス提供者のユーザアカウントに対する画像記憶部に新たな画像が記憶されると、新たな画像を対象画像として、対象画像に写っているオブジェクトを解析し、サービス利用者と関連するオブジェクトが対象画像としての新たな画像に写っているとき、画像送付部は、新たな画像を、サービス利用者のユーザアカウントに対する画像記憶部に送付してもよい。
この場合には、サービス提供者に関する画像がサービス提供者のユーザアカウントで新たに記憶される都度、その画像を、サービス利用者のユーザアカウントに対する画像記憶部に送付することができる。
【００１２】
また、上記の画像管理装置において、対象画像は、サービス提供者のユーザアカウントに対する画像記憶部に記憶された画像中、サービス利用者である個人がサービスを利用するためにサービス提供者である団体に所属した後に記憶された画像であると、より好適である。
この場合には、団体に所属する個人の画像が団体のユーザアカウントで記憶されたときに、その個人のユーザアカウントに対する画像記憶部へ上記の画像（個人の画像）を送付することができる。
【００１３】
また、上記の画像管理装置において、画像送付部は、対象画像に写っているオブジェクトがサービス利用者であるとき、画像送付時点にて対象画像を、サービス利用者のユーザアカウントに対する画像記憶部に送付すると、より好適である。
この場合には、サービス提供者のユーザアカウントで記憶された画像中、サービス利用者が写っている画像を、サービス利用者がサービス利用後にも活用することが可能となる。
【００１４】
また、上記の画像管理装置において、画像の取り扱いに関する権限をユーザアカウント別に設定する権限設定部を有し、画像送付部が対象画像をサービス利用者のユーザアカウントに対する画像記憶部に送付したとき、権限設定部は、権限として、対象画像の読み出しを許可し、且つ、外部機器への対象画像の複製を禁止した制限付き権限を、サービス利用者のユーザアカウントに対して設定すると、より好適である。
この場合には、サービス利用者のユーザアカウントに対する画像記憶部に送付された画像について、サービス利用者は、閲覧及び印刷の注文等を行うことが可能である一方で、データコピー等が制限される。
【００１５】
また、上記の画像管理装置において、権限設定部は、サービス提供者のユーザアカウントに対する画像記憶部に記憶された画像についての権限として、読み出し及び外部機器への複製を含む取り扱い全てを許可する全許可権限を、サービス提供者のユーザアカウントに対して設定し、画像送付部が対象画像をサービス利用者のユーザアカウントに対する画像記憶部に送付した後の時点において、サービス提供者のユーザアカウントに対する対象画像の権限が全許可権限のままであると、さらに好適である。
この場合には、サービス利用者に関する画像がサービス利用者のユーザアカウントに対する画像記憶部に送付された後にも、サービス提供者には、その画像について閲覧及び複製等のあらゆる取り扱いが許可される。これにより、サービス利用者に関する画像を、サービス利用者のユーザアカウントに対する画像記憶部に送付された後にも、サービス提供者側での活用（例えば、写真印刷等の発注）が可能となる。
【００１６】
また、上記の画像管理装置において、画像削除部がサービス提供者のユーザアカウントに対する画像記憶部から対象画像を削除すると、権限設定部が、サービス利用者のユーザアカウントに対する対象画像の権限を、制限付き権限から全許可権限に設定し直してもよい。
この場合には、サービス提供者のユーザアカウントに対する画像記憶部からサービス利用者に関する画像が削除されることに伴って、サービス利用者に関する画像についての全許可権限がサービス利用者に移行する。それ以降、サービス利用者は、上記の画像を自由に利用することが可能となる。
【００１７】
また、上記の画像管理装置において、画像削除部がサービス提供者のユーザアカウントに対する画像記憶部から対象画像を削除すると、権限設定部が、サービス提供者のユーザアカウントに対する対象画像の権限を、全許可権限から制限付き権限に設定し直してもよい。
この場合には、サービス利用者に関する画像についての全許可権限がサービス利用者に移行したことに伴って、上記の画像についてのサービス提供者の権限が制限付き権限に変わる。それ以降、サービス利用者は、サービス利用者に関する画像がサービス提供者側で活用されるのを防ぐことが可能となる。
【００１８】
また、上記の画像管理装置において、個人ユーザのユーザアカウントに対する画像記憶部に記憶された画像を用いて、個人ユーザ固有のアルバムを作成するアルバム作成部を有すると、より好適である。
この場合には、個人ユーザのユーザアカウントで管理していた画像を用いて、個人ユーザ固有のアルバムを作成することができる。このような構成においては、本発明の効果（サービス利用者に関する画像を、サービス利用者がサービス利用後にも活用することができること）が、より有意義なものとなる。
【００１９】
また、上記の画像管理装置において、アルバム作成部は、個人ユーザのユーザアカウントに対する画像記憶部に記憶された画像中、個人ユーザが写った画像を用いてアルバムを作成すると、より好適である。
この場合には、個人ユーザが写った画像を用いてアルバムを作成するため、個人ユーザは、例えばアルバムの画像から昔の出来事を回顧することができる。
【００２０】
また、上記の画像管理装置において、アルバム作成部は、個人ユーザのユーザアカウントに対する画像記憶部に記憶された画像中、個人ユーザ、及び個人ユーザに関係するイベントの参加者が写った画像を用いてアルバムを作成すると、より好適である。
この場合には、個人ユーザ、及び個人ユーザに関係するイベントの参加者が写った画像を用いてアルバムを作成することができる。これにより、個人ユーザ及びイベントの参加者は、アルバムを見て、例えば昔の出来事を回顧することができる。
【００２１】
また、上記の画像管理装置において、アルバムの作成に用いられる画像に対して評価値を算出する評価値算出部を有し、評価値算出部は、評価値を算出する際に、アルバムの作成に用いられる画像に写っているオブジェクトに応じて加点すると、好適である。
この場合には、アルバムの作成に際して、アルバム作成に用いられる画像に対して、その画像に写ったオブジェクトに応じて評価値を算出する。これにより、例えば、高い評価値の画像を優先的にアルバム作成に用いることができ、この結果、個人ユーザにとって利用価値が高いアルバムを作成することが可能となる。
【００２２】
また、前述の目的を達成するために、本発明は、アカウント紐付部が、サービス利用者がサービス提供者によるサービスの利用を開始した場合に、サービス利用者のユーザアカウントとサービス提供者のユーザアカウントとを紐付けするステップと、解析部が、サービス提供者のユーザアカウントに対する画像記憶部に記憶された画像中、サービス利用者のユーザアカウントとサービス提供者のユーザアカウントとの紐付後に記憶された画像を対象画像とし、対象画像に写っているオブジェクトを解析するステップと、画像送付部が、サービス利用者と関連するオブジェクトが対象画像に写っているとき、予め設定された画像送付時点にて対象画像を、サービス利用者のユーザアカウントに対する画像記憶部に送付するステップと、を有することを特徴とする画像管理方法を提供する。
【００２３】
また、上記の画像管理方法において、アルバム作成部が、個人ユーザのユーザアカウントに対する画像記憶部に記憶された画像を用いて、個人ユーザ固有のアルバムを作成するステップを有すると、より好適である。
【００２４】
また、本発明は、上記に記載の画像管理方法の各々のステップをコンピュータに実行させるためのプログラムを提供する。
また、本発明は、上記に記載の画像管理方法の各々のステップをコンピュータに実行させるためのプログラムが記録されたコンピュータ読み取り可能な記録媒体を提供する。
【００２５】
また、本発明は、プロセッサ及び記憶装置を備える画像管理装置であって、記憶装置が、ユーザアカウントを記憶するアカウント記憶部と、ユーザアカウント別に設けられた画像記憶部と、を構成し、プロセッサが、サービス利用者がサービス提供者によるサービスの利用を開始した場合に、サービス利用者のユーザアカウントとサービス提供者のユーザアカウントとを紐付けし、サービス提供者のユーザアカウントに対する画像記憶部に記憶された画像中、サービス利用者のユーザアカウントとサービス提供者のユーザアカウントとの紐付後に記憶された画像を対象画像とし、対象画像に写っているオブジェクトを解析し、且つ、サービス利用者と関連するオブジェクトが対象画像に写っているとき、予め設定された画像送付時点にて対象画像を、サービス利用者のユーザアカウントに対する画像記憶部に送付するように構成された画像管理装置を提供する。
【発明の効果】
【００２６】
本発明によれば、サービス提供者のユーザアカウントで記憶されたサービス利用者に関する画像を、サービス利用者がサービス利用後にも活用することを可能とする画像管理装置、画像管理方法、当該画像管理方法をコンピュータに実行させるプログラム、及び、そのプログラムを記録した記録媒体が提供される。
【図面の簡単な説明】
【００２７】
【図１】画像管理装置及び関連機器を示す図である。
【図２】ユーザアカウント別に設けられた画像記憶部を示す図である。
【図３】アルバム作成のイメージ図である。
【図４】画像送付のイメージ図である。
【図５】画像管理装置が有する複数の処理部を示すブロック図である。
【図６】アルバム作成フローの流れを示す図である。
【図７】サービス管理テーブルを示す図である。
【図８】顔照合用テーブルを示す図である。
【図９】権限管理テーブルを示す図である。
【図１０】画像送付フローの流れを示す図である。
【図１１】変形例に係る画像送付フローの流れを示す図である。
【発明を実施するための形態】
【００２８】
以下に、本発明の画像管理装置、画像管理方法、プログラム及び記録媒体について、添付の図面に示す好適な実施形態（以下、本実施形態）に基づいて詳細に説明する。なお、以下に説明する実施形態は、本発明を分かり易く説明する目的で挙げた一例にすぎず、本発明を限定するものではない。すなわち、本発明は、下記の実施形態に限られず、本発明の主旨を逸脱しない範囲において種々の改良又は変更され得る。また、当然ながら、本発明には、その等価物が含まれる。
また、本明細書において、「画像」とは、画像データのことであり、例えば、ＪＰＥＧ（Joint Photographic Experts Group）形式のような非可逆圧縮の画像データ、ＧＩＦ（Graphics Interchange Format）又はＰＮＧ（Portable Network Graphics）形式のような可逆圧縮の画像データ等が該当する。
【００２９】
［画像管理装置の概要］
本実施形態に係る画像管理装置（以下、画像管理装置１０）の概要について、図１を参照しながら説明する。図１は、画像管理装置１０及び関連機器を示す図である。なお、図示の便宜上、図１では、ネットワークＮを介して画像管理装置１０に接続されているユーザ端末１１の台数を３台としているが、ユーザ端末１１の台数は、任意の台数でもよい。
【００３０】
画像管理装置１０は、図１に示すように、インターネット回線又はモバイル通信回線等のネットワークＮを介して、少なくとも１台以上のユーザ端末１１と通信可能に接続されている。画像管理装置１０は、サーバとしてのコンピュータであり、ユーザ端末１１は、クライアントとしての端末である。
【００３１】
画像管理装置１０の機能について概説すると、画像管理装置１０は、ユーザ端末１１からの画像入力（アップロード）を受け付け、入力画像をデータベース１２に蓄積する。つまり、画像管理装置１０の主たる機能は、各ユーザの画像を集約して一元的に管理するアグリゲーション機能である。
【００３２】
具体的に説明すると、ユーザ端末１１の所有者であるユーザは、ユーザ端末１１を通じて画像管理装置１０に対して画像を入力する。ここで、入力される画像（以下では、入力画像とも言う。）としては、ユーザ端末１１に搭載されたカメラ等の撮像機器によってユーザが撮像した画像、及びユーザが他の撮像機器によって撮像してからユーザ端末１１へ取り込んだ画像が挙げられる。また、古い写真（アナログ写真）をスキャナ等に読み取ってデジタルデータ化された画像も入力画像に含まれ得る。
【００３３】
なお、ユーザにはユーザアカウントが付与されており、ユーザは、画像管理装置１０への画像入力を行うにあたり、自分のユーザアカウントにて画像管理装置１０にログインする。画像管理装置１０は、ユーザアカウントを記憶しており、また、ユーザ端末１１から画像入力を受け付けると、その入力画像の送信元であるユーザアカウントを特定する。そして、画像管理装置１０は、入力画像をユーザアカウント別にデータベース１２に蓄積する。
【００３４】
より詳しく説明すると、データベース１２には、図２に示すようにユーザアカウント別に画像記憶部２２（例えば、画像記憶用のフォルダ）が設けられている。画像管理装置１０は、画像入力を受け付けると、その入力画像を、画像入力の受付時に特定したユーザアカウントに対する画像記憶部２２に蓄積する。図２は、ユーザアカウント別に設けられた画像記憶部２２を示す図である。
【００３５】
また、各ユーザは、画像管理装置１０にログインしている間、自分のユーザアカウントに対する画像記憶部２２に記憶された画像をユーザ端末１１に表示させることにより、その画像を閲覧することが可能である。
また、各ユーザは、自分のユーザアカウントに対する画像記憶部２２に記憶された画像について、他ユーザとの共有（すなわち、他ユーザに対する閲覧許可）を設定することが可能である。共有設定された画像は、共有対象とされた他ユーザのユーザ端末１１に表示させることができる。つまり、他ユーザは、自分のユーザアカウントにて上記の共有設定画像を閲覧することができる。
なお、共有設定は、自分のユーザアカウントで記憶された画像のそれぞれに対して個別に行うことができてもよく、あるいは、自分のユーザアカウントで記憶された画像全てに対して一括して共有設定を行ってもよい。
また、共有対象とする他ユーザについては、共有設定者であるユーザが指定してもよく、あるいは、共有設定される画像の内容に応じて自動的に決められてもよい。特に、後者のケースでは、共有設定者であるユーザと共有対象とする他ユーザとの間柄及び関係（例えば、単なる知り合いか、友達であるか、恋人であるか、あるいは家族であるか等）、及び、画像に写っているオブジェクト等を考慮して、共有設定（閲覧許可）してもよい画像であるかを判別するのが好ましい。
【００３６】
また、本実施形態において、画像管理装置１０は、ユーザが個人ユーザである場合において、その個人ユーザのユーザアカウントで記憶された画像を用いて、個人ユーザ固有のアルバムを作成することができる。かかる機能について図３を参照しながら具体的に説明する。図３は、アルバム作成のイメージ図である。
【００３７】
例えば、個人ユーザであるユーザＡＡＡが自分のユーザ端末１１からアルバム作成を要求すると、画像管理装置１０が、アルバム作成要求を受け付け、ユーザＡＡＡのユーザアカウントに対する画像記憶部２２にアクセスする。その後、画像管理装置１０は、上記の画像記憶部２２に記憶された画像Ｐａ１、Ｐａ２、Ｐａ３、Ｐａ４、Ｐａ５・・・の中から、アルバム作成に用いる画像として、ユーザＡＡＡが写った画像等を抽出する。そして、画像管理装置１０は、図３に示すように、抽出した画像（図３では、Ｐａ１、Ｐａ３及びＰａ５）を用いてユーザＡＡＡ固有のアルバムＡＬを作成する。ユーザＡＡＡは、上記のアルバムＡＬを鑑賞することにより、例えば、過去のイベント（運動会、入学式、卒業式、結婚式及び金婚式等）を回想したり、自分のこれまでの人生を振り返ったりすることができる。
【００３８】
なお、アルバムＡＬは、画像の印刷物を所定の用紙に貼付して冊子としてまとめたものであってもよく、複数の画像データを一つのデータとしてまとめて編集した電子データ（例えば、デジタルフォトブック）であってもよい。以下に示す実施形態では、電子データ形式のアルバムＡＬを作成することとする。
また、個人ユーザ固有のアルバムＡＬについての作成要求は、個人ユーザ本人から行う場合に限定されず、個人ユーザの関係者（例えば、親族及び友人等）、あるいは、個人ユーザに関するイベントを開催する業者（例えば、結婚式場業者及び葬儀業者等）などがアルバム作成要求を行ってもよい。
【００３９】
また、画像管理装置１０は、サービス利用者及びサービス提供者の各々のユーザアカウントで記憶された画像を管理している場合に所定の条件が満たされると、サービス提供者のユーザアカウントで記憶された画像のうち、サービス利用者に関する画像をサービス利用者に提供する。かかる機能について図４を参照しながら具体的に説明する。図４は、画像送付のイメージ図である。
【００４０】
例えば、学生Ｓ及び学校Ｕがそれぞれユーザアカウントを所有しており、各ユーザアカウントに対する画像記憶部２２に画像が記憶されていたとする。この場合、学生Ｓは、学校Ｕに在学している期間（換言すると、学校Ｕが提供する教育サービスを利用している期間中）には、自分のユーザアカウントで、学校Ｕのユーザアカウントに対する画像記憶部２２に記憶された画像Ｐｕ１、Ｐｕ２、Ｐｕ３、Ｐｕ４、Ｐｕ５・・・を閲覧することができる。
【００４１】
また、学校Ｕのユーザアカウントに対する画像記憶部２２に記憶された画像には、学生Ｓが写った画像（図４では、画像Ｐｕ３）が含まれているものとする。さらに、学生Ｓが学校Ｕを卒業すると（換言すると、学校Ｕが提供する教育サービスの利用を終えると）、画像管理装置１０が、図４に示すように、学校Ｕのユーザアカウントに対する画像記憶部２２に記憶された画像中、学生Ｓが写った画像Ｐｕ３を、学生Ｓのユーザアカウントに対する画像記憶部２２に送付する。これにより、学生Ｓは、学校Ｕを卒業した後にも画像Ｐｕ３を閲覧することができ、且つ、アルバム作成用に画像Ｐｕ３を用いることもできる。
【００４２】
なお、上記のケースにおいて、学生Ｓは、サービス利用者に該当し、学校Ｕがサービス提供者に該当する。ここで、学校Ｕは、学校Ｕに勤務する教員及び従業員等の組織（団体）を意味する。また、サービス提供者は、サービス利用者に対する便益の提供を行う者であればよく、サービス利用者は、その便益を享受する者であればよい。つまり、サービス提供者及びサービス利用者の組み合わせは、学校及び学生に限定されるものではなく、例えば、マラソン大会等の競技委員をサービス提供者とし、大会参加者（ランナー）をサービス利用者としてもよい。その他の例としては、病院及び患者等が挙げられ、より具体的なケースを挙げると、産婦人科の病院をサービス提供者とし、出産者及び新生児をサービス利用者としてもよい。この場合、送付対象の画像（すなわち、病院のユーザアカウントで記憶され、いずれは出産者のユーザアカウントに送付される画像）には、出産前に撮影した胎児の超音波エコー画像等が含まれる。
【００４３】
以上までに画像管理装置１０の機能について説明してきたが、上述した機能以外の機能が画像管理装置１０に更に備わっていてもよい。例えば、ある個人ユーザ（以下、対象ユーザ）が死去した場合、又は、対象ユーザが生前に依頼した場合に、対象ユーザのユーザアカウントで記憶していた画像を、対象ユーザの親族等のユーザアカウントで記憶し直したり、対象ユーザのユーザアカウントそのものを親族等に引き継がせたりする機能が画像管理装置１０に備わっていてもよい。
また、対象ユーザの死去後、対象ユーザのユーザアカウントで記憶していた画像を整理し、所定の選別ルールの下で選別された画像を遺族に引き渡す機能が画像管理装置１０に更に備わっていてもよい。
また、画像管理に関する各ユーザの行動パターン（例えば、画像入力頻度、画像閲覧頻度、及び、画像共有の設定に対する返答の内容等）を監視し、通常のパターンとは異なる行動パターンを検知したときにユーザが異常な状態にあると判断する機能、すなわち、異常察知機能が画像管理装置１０に備わっていてもよい。
【００４４】
また、本実施形態では、不正に画像が複製されるのを防止する目的から画像管理情報（具体的には、画像の入力、閲覧、複製及び送付等がどのユーザアカウントによって何時行われたかを示す履歴情報）が画像管理装置１０によって一元的に管理されている。ただし、これに限定されるものではなく、例えばブロックチェーン技術（分散台帳技術）を利用してもよく、具体的には、複数のユーザアカウントの各々にて上記の画像管理情報をそれぞれ記憶し、ユーザアカウント同士が連携して画像管理を行ってもよい。かかる場合にも不正な画像複製を防止することができる。
【００４５】
［画像管理装置及びユーザ端末の構成］
次に、画像管理装置１０の構成、及びユーザ端末１１の構成のそれぞれについて説明する。
画像管理装置１０は、前述したようにコンピュータ（以下、コンピュータ１０ａ）によって構成されている。このコンピュータ１０ａは、プロセッサを備えており、プロセッサが画像管理用のプログラム（以下、画像管理プログラム）を読み取って各種のデータ処理を実施することにより、画像管理装置１０としての機能を発揮する。画管理処理プログラムは、画像管理プログラムの実行に必要なデータ等と共に、画像管理装置１０の主記憶装置に記憶されている。主記憶装置としては、例えば、ＲＯＭ（Read Only Memory）、ＲＡＭ（RANDOM Access Memory）、ＤＲＡＭ（Dynamic Random Access Memory）、若しくはＳＲＡＭ（Static Random Access Memory）等が挙げられるが、これらに限られない。
【００４６】
また、画像管理装置１０は、データベース１２を備えている。データベース１２は、各ユーザ端末１１から入力された画像をユーザ別（厳密には、ユーザアカウント別）に記憶している。より詳しく説明すると、データベース１２は、ユーザアカウント別に設けられた画像記憶部２２を備えており、各ユーザアカウントで入力された画像を、そのユーザアカウントと対応する画像記憶部２２に格納（記憶）する。
【００４７】
また、データベース１２は、各ユーザのユーザアカウントを記憶している。さらに、データベース１２は、後述するサービス管理テーブルＴＢ１、顔照合用テーブルＴＢ２、及び権限管理テーブルＴＢ３を記憶している。以上のように各種データを記憶するデータベース１２は、例えば、画像管理装置１０の記憶装置、厳密には外部記憶装置によって構成されている。外部記憶装置としては、例えば、ＣＤ−ＲＯＭ（Compact Disc Read Only Memory）、ＤＶＤ（Digital Versatile Disk）及びＢｌｕ−ｒａｙディスク（登録商標）等の光学ディスク、フレキシブルディスク、ハードディスクドライブ、フラッシュメモリ及び磁気テープ等が挙げられるが、これらに限られない。また、コンピュータ１０ａと通信可能に接続された他のコンピュータがコンピュータ１０ａとともに画像管理装置１０を構成してもよく、かかる場合には、上記の他のコンピュータによってデータベース１２を構築してもよい。
【００４８】
ユーザ端末１１は、例えば、ＰＣ(パーソナルコンピュータ)、タブレット型端末、スマートフォン又は携帯電話等によって構成されている。ユーザ端末１１は、キーボード、マウス及びタッチパネル等の入力装置、液晶ディスプレイ及びタッチパネル等の表示装置、並びに、画像管理装置１０と通信するために設けられた通信用インターフェイス等の通信装置を有する。また、ユーザ端末１１は、ユーザの入力操作に応じたデータ処理等を実行するデータ処理部（ユーザ端末側プロセッサ）を備えている。
【００４９】
［画像管理装置の詳細構成］
次に、画像管理装置１０の詳細構成について、図５を参照しながら説明する。図５は、画像管理装置１０が有する複数の処理部を示すブロック図である。
画像管理装置１０は、図５に示すように、アカウント記憶部２１、画像記憶部２２、画像入力受付部２３、アルバム作成部２４、評価値算出部２５、アルバム更新部２６、アカウント紐付部２７、解析部２８、画像送付部２９、画像削除部３０及び権限設定部３１を有する。これらの処理部（Processing Units）のうち、アカウント記憶部２１及び画像記憶部２２を除く処理部は、画像管理装置１０として用いられるコンピュータ１０ａ等のハードウェア機器と、ソフトウェアとしての画像管理プログラムとが協働することで実現される。
【００５０】
他方、アカウント記憶部２１及び画像記憶部２２は、前述したデータベース１２によって構成されており、具体的には、画像管理装置１０が有する記憶装置（厳密には、外部記憶装置）によって構成されている。
【００５１】
なお、各処理部の構成について付言しておくと、本発明において、画像管理装置１０の各処理部（具体的には、画像入力受付部２３、アルバム作成部２４、評価値算出部２５、アルバム更新部２６、アカウント紐付部２７、解析部２８、画像送付部２９、画像削除部３０、及び権限設定部３１の各々）のハードウェア構成は、専用のハードウェアであってもよいし、プログラムを実行する各種のプロセッサまたはコンピュータであってもよい。
また、各種のプロセッサには、ソフトウェア（プログラム）を実行して各処理部として機能する汎用的なプロセッサであるＣＰＵ（Central Processing Unit）、ＦＰＧＡ（Field Programmable Gate Array）等の製造後に回路構成を変更可能なプロセッサであるプログラマブルロジックデバイス（Programmable Logic Device：ＰＬＤ）、及びＡＳＩＣ（Application Specific Integrated Circuit）等の特定の処理をさせるために専用に設計された回路構成を有するプロセッサである専用電気回路等が含まれる。
また、一つの処理部を、これら各種のプロセッサのうちの一つで構成してもよいし、同種または異種の二つ以上のプロセッサの組み合わせ、例えば、複数のＦＰＧＡの組み合わせ、または、ＦＰＧＡ及びＣＰＵの組み合わせ等によって構成してもよい。また、複数の処理部を、各種のプロセッサのうちの一つで構成してもよいし、複数の処理部のうちの二つ以上をまとめて一つのプロセッサを用いて構成してもよい。
また、例えば、サーバおよびクライアント等のコンピュータに代表されるように、一つ以上のＣＰＵとソフトウェアの組み合わせで一つのプロセッサを構成し、このプロセッサが複数の処理部として機能する形態があり、本実施形態は、この形態に該当する。
また、システムオンチップ（System on Chip：ＳｏＣ）等に代表されるように、複数の処理部を含むシステム全体の機能を一つのＩＣ（Integrated Circuit）チップで実現するプロセッサを使用する形態がある。
さらに、上記各種のプロセッサのハードウェア構成は、より具体的には、半導体素子などの回路素子を組み合わせた電気回路（Circuitry）である。
【００５２】
上述した画像管理装置１０の処理部のうち、アカウント記憶部２１及び画像記憶部２２は、画像管理装置１０の機能全般に関与する。また、画像入力受付部２３は、画像管理装置１０の、画像入力を受け付けて入力画像を蓄積する機能に関与する。また、アルバム作成部２４、評価値算出部２５及びアルバム更新部２６は、画像管理装置１０のアルバム作成機能に関与する。また、アカウント紐付部２７、解析部２８、画像送付部２９、画像削除部３０、及び権限設定部３１は、画像管理装置１０の画像送付機能等に関与する。
以下、画像管理装置１０の各処理部を、関与する機能毎に分けて説明する。
【００５３】
（アカウント記憶部及び画像記憶部）
アカウント記憶部２１は、各ユーザに割り当てられたユーザアカウントを記憶する。各ユーザは、自分のユーザアカウントにて画像管理装置１０にログインするが、その際に、本人認証のためにユーザ名（ＩＤ）及びパスワードを入力することになっている。アカウント記憶部２１は、各ユーザのユーザアカウントを、ユーザ名（ＩＤ）及びパスワード等の情報と関連付けて記憶する。
【００５４】
なお、ユーザアカウントは、原則として、そのユーザアカウントに関連付けられたユーザ名に該当するユーザ本人によって使用されるものであるが、それ以外にも、例えば、未成年であるユーザのユーザアカウント、あるいは死去したユーザのユーザアカウントについては、そのユーザの親族等によって使用及び管理される場合がある。
【００５５】
画像記憶部２２は、ユーザアカウント別に設けられている。各画像記憶部２２に記憶されている画像を閲覧できるユーザアカウントは、当該各画像記憶部２２と対応するユーザアカウント（以下、本人アカウント）、及び、本人アカウントによって画像共有が設定されたアカウント等である。
【００５６】
また、ユーザが組織又は団体である場合のユーザアカウント（以下、団体アカウント）に関して言うと、その組織又は団体に所属する個人のユーザアカウントであれば、当該個人が組織又は団体に所属している間、団体アカウントに対応する画像記憶部２２に記憶された画像を閲覧したり、その画像の印刷を印刷業者にインターネット等を通じて注文したりすることができる。
【００５７】
（画像入力受付部）
画像入力受付部２３は、各ユーザが自分のユーザアカウントを通じて行った画像入力（画像のアップロード）を受け付ける。具体的に説明すると、各ユーザは、ユーザ端末１１を操作して自分のユーザアカウントで画像管理装置１０にログインする。その後、各ユーザは、ユーザ端末１１のディスプレイに表示された不図示の画像選択画面を通じて入力対象の画像を選択し、選択した画像をアップロードするための操作（例えば、アップロード用の押しボタンをタップする操作）を行う。これをトリガーとして、ユーザによって選択された画像が、ユーザ端末１１から画像管理装置１０に入力（アップロード）される。以上の手順によって画像入力が行われ、その画像入力を、画像入力受付部２３がネットワークＮを通じて受け付ける。
【００５８】
また、画像入力受付部２３は、入力画像をデータベース１２に蓄積する。より詳しく説明すると、画像入力受付部２３は、入力画像に付帯するＥｘｉｆ（Exchangeable image file format）などの付帯情報から入力画像の提供元であるユーザのユーザアカウントを特定する。その後、画像入力受付部２３は、特定したユーザアカウントと対応する画像記憶部２２に上記の入力画像を記憶させる。
【００５９】
（アルバム作成部、評価値算出部及びアルバム更新部）
アルバム作成部２４は、個人ユーザからの要求に応じて、個人ユーザのユーザアカウントに対する画像記憶部２２に記憶された画像を用いて、個人ユーザ固有のアルバムＡＬを作成する。
【００６０】
また、本実施形態において、アルバム作成部２４は、個人ユーザのユーザアカウントに対する画像記憶部２２に記憶された画像中、個人ユーザが写った画像を用いてアルバムＡＬを作成する。具体例を挙げて説明すると、アルバム作成部２４は、個人ユーザであるユーザＡＡＡのユーザアカウントに対する画像記憶部２２に記憶された画像のうち、人物が写っている画像を分析対象としてユーザ特定用の分析を実施する。かかる分析において、アルバム作成部２４は、分析対象画像に写っている回数が最も多い人物をユーザＡＡＡとして特定し、特定したユーザＡＡＡが写っている分析対象画像をアルバム作成用の画像として抽出する。そして、アルバム作成部２４は、抽出した画像（すなわち、ユーザＡＡＡが写った画像）を用いて、ユーザＡＡＡ固有のアルバムＡＬを作成する。
【００６１】
なお、本実施形態において、作成された個人ユーザ固有のアルバムＡＬ（厳密には、アルバムＡＬの電子データ）は、その個人ユーザのユーザアカウントに対する画像記憶部２２に記憶（保存）されることになっている。ただし、アルバムＡＬの保存先については、特に限定されるものではなく、自由に設定することができる。
【００６２】
さらに、本実施形態において、アルバム作成部２４は、個人ユーザのユーザアカウントに対する画像記憶部２２に記憶された画像中、個人ユーザ、及びその個人ユーザに関係するイベントの参加者が写った画像を用いてアルバムＡＬを作成することができる。
【００６３】
具体例を挙げて説明すると、個人ユーザであるユーザＡＡＡが死去し、ユーザＡＡＡのユーザアカウントがユーザＡＡＡの親族に引き継がれたとする。ユーザＡＡＡの親族は、引き継いだユーザＡＡＡのユーザアカウントを通じて、ユーザＡＡＡ固有のアルバムＡＬの作成を画像管理装置１０に要求することができ、例えば、ユーザＡＡＡの葬儀中にアルバム作成を要求することもできる。この場合、ユーザＡＡＡの親族は、ユーザＡＡＡの葬儀中に撮影された画像（以下、葬儀画像）を、アルバム作成要求と共に送信する。アルバム作成部２４は、アルバム作成要求と共に上記の葬儀画像を受信すると、上記の葬儀画像に写っている人物（すなわち、葬儀参列者）を特定する。その後、アルバム作成部２４は、ユーザＡＡＡのユーザアカウントに対する画像記憶部２２に記憶された画像中、ユーザＡＡＡ及び特定した葬儀参列者が写っている画像を抽出し、抽出した画像を用いてアルバムＡＬを作成する。
これにより、ユーザＡＡＡの葬儀時に、故人であるユーザＡＡＡと葬儀参列者とが写っている写真を中心にまとめてアルバムＡＬを作成し、各葬儀参列者に見せることができる。
なお、個人ユーザに関するイベントとしては、その個人ユーザの葬儀に限られるものではなく、例えば、結婚式、誕生日会、及び同窓会等が挙げられる。
【００６４】
評価値算出部２５は、アルバムＡＬの作成に用いられる画像に対して評価値を算出する。具体的に説明すると、評価値算出部２５は、評価値を算出する際に、アルバムＡＬの作成に用いられる画像に写っているオブジェクトを特定し、特定したオブジェクトに応じて加点する。より詳しく説明すると、評価値算出部２５は、アルバム作成部２４によって抽出されたアルバム作成用の画像、すなわち、個人ユーザが写った画像を解析し、その画像に写ったオブジェクトを特定する。その後、評価値算出部２５は、一枚の画像に写ったオブジェクトの組み合わせから、その画像に写っているシーンを判別する。例えば、オブジェクトの組み合わせが「ウエディングドレス」、「花」及び「親族」である場合には、そのオブジェクトが写っている画像のシーンを「結婚式」と判別する。評価値算出部２５は、判別した画像のシーンに応じて、その画像に対する評価値を加減点する。
【００６５】
評価値算出部２５による評価値算出後、アルバム作成部２４は、アルバム作成部２４によって抽出された各画像を用いてアルバムＡＬを作成する。このとき、アルバム作成部２４は、各画像の評価値を踏まえてアルバムＡＬを作成し、例えば、評価値が高い画像を優先的に利用してアルバムＡＬを作成する。このようにアルバム作成に用いられる画像に対して評価値を算出すれば、古い写真であって彩度がない画像（例えば、白黒画像等）、及び画質が悪い画像であったとしも、個人ユーザにとって重要なイベントの画像に対しては加点をして高い評価値を付与することができ、個人ユーザ固有のアルバムＡＬを作成するのに適した画像として評価することができる。
【００６６】
アルバム更新部２６は、アルバム作成部２４によって作成されたアルバムＡＬを所定の時期に見直して、アルバムＡＬを更新するものである。具体的に説明すると、評価値算出部２５は、対象ユーザのアルバムＡＬが完成した後、定期的に（例えば、年１年）、対象ユーザのユーザアカウントに対する画像記憶部２２に記憶された画像を確認する。これは、対象ユーザのユーザアカウントに対する画像記憶部２２に記憶された画像がアルバム作成後に増えている可能性があり、その場合にはアルバム作成に用いる画像を見直す必要があるためである。
【００６７】
そして、アルバム更新部２６は、確認した画像の中から、追加したり差し替えたりする画像を選定し、選定した画像を用いてアルバムＡＬを更新する（分かり易くは、アルバムＡＬを作成し直す）。これにより、人生の経過とともに画像が増えていったとしても、それに合わせてアルバムＡＬを適宜更新する（作成し直す）ことができる。なお、アルバム更新時期については、特に限定されるものではないが、例えば、実家への帰省時、あるいは銀婚式又は金婚式等の重要なイベントに際してアルバム更新を行ってもよい。
【００６８】
次に、アルバム作成部２４、評価値算出部２５及びアルバム更新部２６の動作例として、図６に図示のアルバム作成フローについて説明する。図６は、アルバム作成フローの流れを示す図である。なお、以下に記載するアルバム作成フローの説明では、具体例として、個人ユーザであるユーザＡＡＡが自分用のアルバムの作成を要求するケースを挙げて説明することとする。
【００６９】
アルバム作成フローの開始に際して、ユーザＡＡＡは、自己のユーザ端末１１を操作してアルバム作成を要求する。これにより、ユーザＡＡＡのユーザ端末１１から画像管理装置１０に向けて、アルバム作成要求のデータが送信される。そして、画像管理装置１０のアルバム作成部２４が、ネットワークＮを経由してアルバム作成要求のデータを受信すると、これをトリガーとしてアルバム作成フローが開始される（Ｓ００１）。
【００７０】
アルバム作成フローが開始されると、先ず、アルバム作成部２４が、ユーザＡＡＡのユーザアカウントに対する画像記憶部２２に記載された画像から、アルバム作成に使用する画像（以下、使用画像）を抽出する（Ｓ００２）。より具体的に説明すると、アルバム作成部２４は、ユーザＡＡＡが写った画像を使用画像として抽出する。
【００７１】
その後、画像管理装置１０の評価値算出部２５が、アルバム作成部２４によって抽出された使用画像の各々について評価値を算出する（Ｓ００３）。
以上までのステップを経て、アルバム作成部２４が、各使用画像の評価値を踏まえつつ、各使用画像を用いてユーザＡＡＡ固有のアルバムＡＬを作成する（Ｓ００４）。作成されたアルバムＡＬのデータは、ユーザＡＡＡのユーザアカウントに対する画像記憶部２２に記憶される。
【００７２】
アルバム完成後、所定時期が経過すると（換言すれば、更新時期になると）、画像管理装置１０のアルバム更新部２６が、ユーザＡＡＡのユーザアカウントに対する画像記憶部２２に記憶された画像を確認し、作成済みであるユーザＡＡＡ固有のアルバムＡＬを必要に応じて更新する（Ｓ００５）。以下、更新時期が到来する度に、アルバムＡＬの更新の要否が判断され、更新が必要な場合にはアルバム更新部２６によってアルバムＡＬが更新される。
【００７３】
（アカウント紐付部、解析部、画像送付部、画像削除部及び権限設定部）
アカウント紐付部２７、解析部２８、画像送付部２９、画像削除部３０及び権限設定部３１は、サービス提供者のユーザアカウントからサービス利用者のユーザアカウントへの画像送付に関与する。ここで、画像送付とは、サービス提供者のユーザアカウントに対する画像記憶部２２に記憶された画像（すなわち、画像のデータ）を、サービス利用者のユーザアカウントに対する画像記憶部２２へ伝送することである。
【００７４】
なお、以下では、サービス提供者が学校Ｕであり、サービス利用者が学生Ｓであるケースを適宜、具体例として挙げて説明することとする。ただし、前述したように、サービス提供者及びサービス利用者の組み合わせについては、特に限定されるものではなく、以下に説明する内容は、当然ながら、学校及び学生以外の組み合わせにも適用され得る。
【００７５】
アカウント紐付部２７は、サービス利用者がサービス提供者によるサービスの利用を開始した場合に、サービス利用者のユーザアカウントとサービス提供者のユーザアカウントとを紐付けする。例えば、学生Ｓが学校Ｕに所属する（分かり易くは、入学する）と、アカウント紐付部２７は、学生Ｓのユーザアカウントと学校Ｕのユーザアカウントとを紐付けする。
【００７６】
具体的に説明すると、学生Ｓが学校Ｕに所属すると、学校Ｕの職員が学校Ｕのユーザ端末１１を操作し、学生Ｓが学校Ｕに所属（入学）した年月日及び関連事項をユーザ端末１１に登録する。ユーザ端末１１は、登録された情報（以下、利用登録情報）を画像管理装置１０に向けて送信する。アカウント紐付部２７は、ネットワークＮを通じて利用登録情報を受信すると、この利用登録情報からサービス提供者（学校Ｕ）、サービス利用者（学生Ｓ）、及びサービス利用期間（在学期間）を特定する。そして、アカウント紐付部２７は、特定した上記３つの情報を互いに関連付けて、図７に図示のサービス管理テーブルＴＢ１に登録する。図７は、サービス管理テーブルＴＢ１を示す図である。
【００７７】
サービス管理テーブルＴＢ１は、サービス提供者のユーザアカウント及びサービス利用者のユーザアカウントを紐付けるためのデータであり、前述したように画像管理装置１０のデータベース１２に記憶されている。アカウント紐付部２７は、サービス提供者のユーザアカウントとサービス利用者のユーザアカウントとを紐付ける処理として、サービス提供者及びサービス利用者をサービス利用期間と関連付けてサービス管理テーブルＴＢ１に登録する。
【００７８】
解析部２８は、サービス提供者のユーザアカウントに対する画像記憶部２２に記憶された画像中、対象画像に写っているオブジェクトを解析する。ここで、対象画像は、サービス提供者のユーザアカウントに対する画像記憶部２２に記憶された画像中、サービス利用者のユーザアカウントとサービス提供者のユーザアカウントとの紐付後に記憶される画像である。具体的に説明すると、上述の具体例では、学生Ｓ（個人）が学校Ｕ（団体）に所属した後に記憶される画像が対象画像に該当する。
【００７９】
解析部２８による画像解析について詳しく説明すると、学校Ｕのユーザアカウントに対する画像記憶部２２には、例えば、学校Ｕが開催するイベントの画像が記憶される。この画像は、例えば、上記イベントでの写真撮影を学校Ｕから依頼された写真撮影業者によって学校Ｕに提供され、学校Ｕが自己のユーザ端末１１を通じて画像管理装置１０に入力（アップロード）することで、学校Ｕのユーザアカウントに対する画像記憶部２２に記憶される。
【００８０】
そして、学校Ｕのユーザアカウントに対する画像記憶部２２に新たな画像が記憶されると、その都度、解析部２８が上記の新たな画像を対象画像として、その画像に写っているオブジェクトを解析する。より詳しく説明すると、解析部２８は、対象画像中にオブジェクトとして人物が写っているかを判断する。対象画像に人物が写っている場合、解析部２８は、顔照合技術等を利用して、その人物が学校Ｕに在学（所属）している学生であるかを判定し、さらに、学校Ｕに在学している学生であるならば、どの学生であるかを特定する。このとき、解析部２８は、図８に図示の顔照合用テーブルＴＢ２を参照する。図８は、顔照合用テーブルＴＢ２を示す図である。なお、図中に図示された顔画像情報は、図示の都合上、幾分簡略化して図示されている。
【００８１】
顔照合用テーブルＴＢ２について説明すると、顔照合用テーブルＴＢ２は、学校Ｕに在学（所属）している各学生について、顔の画像情報又は顔の特徴量を示す情報等を収録したデータであり、前述したように画像管理装置１０のデータベース１２に記憶されている。顔照合用テーブルＴＢ２に収録される顔の画像情報等は、例えば、学校Ｕのユーザアカウントに紐付けされた各学生のユーザアカウントに対する画像記憶部２２に記憶された画像を分析することで取得される。上述の具体例に基づいて説明すると、学生Ｓの顔画像情報を取得する場合には、学生Ｓのユーザアカウントに対する画像記憶部２２に記憶された画像のうち、人物が写っている画像を分析対象画像とし、分析対象画像に写っている回数が最も多い人物の顔画像情報を、学生Ｓの顔画像情報として取得する。
なお、顔照合用テーブルＴＢ２は、学校Ｕに新入生が所属（入学）したときに、サービス管理テーブルＴＢ１と共に更新され、具体的には、上記の新入生の顔画像情報が顔照合用テーブルＴＢ２に追加される。
【００８２】
画像送付部２９は、解析部２８によって解析された対象画像のオブジェクトがサービス利用者と関連するオブジェクトであるとき、予め設定された画像送付時点にて上記の対象画像を、サービス利用者のユーザアカウントに対する画像記憶部２２に送付する。具体的に説明すると、上記の具体例では、対象画像に写っているオブジェクトが学生Ｓであるとき、所定の画像送付時点にて、上記の対象画像（すなわち、学生Ｓが写った画像）を学生Ｓのユーザアカウントに対する画像記憶部２２に送付する。
【００８３】
より詳しく説明すると、学生Ｓが学校Ｕに在学（所属）している間に、学校Ｕのユーザアカウントに対する画像記憶部２２に新たな画像が記憶されるとする。この場合、前述したように、解析部２８が上記の新たな画像を対象画像として、当該対象画像に写っているオブジェクトを解析する。そして、上記の新たな画像にオブジェクトとして学生Ｓが写っているとき、画像送付部２９は、解析部２８による解析の終了後に、上記の新たな画像を学生Ｓのユーザアカウントに対する画像記憶部２２に送付する。
【００８４】
送付された対象画像は、学生Ｓのユーザアカウントに対する画像記憶部２２に記憶される。これにより、学生Ｓは、自己のユーザアカウントにて対象画像（送付された画像）を活用することができ、厳密には、後述する権限の範囲内で対象画像を取り扱うことができるようになる。
【００８５】
なお、本実施形態では、対象画像に学生Ｓが写っているとき、その対象画像を学生Ｓのユーザアカウントに対する画像記憶部２２に送付するが、これに限定されるものではない。学生Ｓと関連するオブジェクトとして学生Ｓ以外のオブジェクト（例えば、頻繁に学生Ｓと一緒に画像に写っている友人、及び学生Ｓが所有するグッズ等）が対象画像に写っているときに、その対象画像を、学生Ｓのユーザアカウントに対する画像記憶部２２に送付してもよい。
【００８６】
画像削除部３０は、サービス提供者のユーザアカウントに対する画像記憶部２２に記憶された画像中、画像送付部２９によってサービス利用者のユーザアカウントに対する画像記憶部２２に送付された画像（対象画像）を、サービス提供者のユーザアカウントに対する画像記憶部２２から削除する。具体的に説明すると、上記の具体例では、解析部２８によって解析された対象画像のオブジェクトが学生Ｓであるとき、画像送付部２９は、上記の対象画像を学生Ｓのユーザアカウントに対する画像記憶部２２に送付する。その後、学生Ｓが学校Ｕを卒業すると（換言すれば、学校Ｕが提供するサービスの利用を終えると）、画像削除部３０が、送付された上記の対象画像（すなわち、学生Ｓが写った画像）を、学校Ｕのユーザアカウントに対する画像記憶部２２から削除する。
【００８７】
なお、本実施形態では、学生Ｓのユーザアカウントに対する画像記憶部２２に送付された画像を、学生Ｓが学校Ｕを卒業した時点で、学校Ｕのユーザアカウントに対する画像記憶部２２から削除することとしたが、送付された画像の削除タイミングについては、特に限定されるものではない。例えば、画像送付とほぼ同時にその画像を削除してもよいし、あるいは、学生Ｓが学校Ｕを卒業してから一定の期間が経過した後に削除してもよい。
【００８８】
権限設定部３１は、画像の取り扱いに関する権限をユーザアカウント別に設定する。より詳しく説明すると、各ユーザのユーザアカウントに対する画像記憶部２２に記憶された画像のそれぞれに対して、取り扱いに関する権限が権限設定部３１によって設定されている。各画像に対して設定された権限は、図９に図示の権限管理テーブルＴＢ３にて管理されている。図９は、権限管理テーブルＴＢ３を示す図である。
【００８９】
権限管理テーブルＴＢ３について説明すると、権限管理テーブルＴＢ３は、ユーザアカウント別に、そのユーザアカウントに対する画像記憶部２２に記憶された各画像の権限を規定しているデータであり、前述したように画像管理装置１０のデータベース１２に記憶されている。
なお、権限設定部３１は、あるユーザアカウントに対する画像記憶部２２に画像が新たに記憶されると、その都度、その新たな画像についての権限（新規権限）を上記のユーザアカウントに対して設定し、新規権限を追加するように権限管理テーブルＴＢ３を更新する。
【００９０】
本実施形態では、図９に示すように、二種類の権限が設定可能であり、一種類目の権限は、全許可権限である。全許可権限とは、画像の読み出し及び外部機器（例えば、ユーザ端末１１）への画像の複製等を含めて、画像の取り扱い全てを許可する権限である。また、画像の読み出しは、あるユーザがユーザ端末１１を用いて自分のユーザアカウントにて画像管理装置１０にログインした際に、ユーザ端末１１を通じて画像を閲覧したり、閲覧している画像の印刷を業者にユーザ端末１１を通じて注文したりする取り扱いである。
【００９１】
なお、ユーザが自分のユーザアカウントで画像を入力（アップロード）した場合、、その画像入力を行ったユーザには、通常、入力画像に対する権限として全許可権限が設定される。ここで、上記の具体例を想定すると、学校Ｕのユーザアカウントに対する画像記憶部２２に記憶された画像は、いずれも、学校Ｕが自らのユーザアカウントで入力（アップロード）した画像である。そのため、学校Ｕのユーザアカウントに対する画像記憶部２２に記憶された各画像には、図９に示すように、全許可権限が学校Ｕのユーザアカウントに対して設定される。
【００９２】
二種類目の権限は、制限付き権限である。制限付き権限は、画像の読み出しを許可する一方で、外部機器への画像の複製を禁止した権限である。本実施形態において、画像送付部２９が対象画像をサービス利用者のユーザアカウントに対する画像記憶部２２に送付したとき、権限設定部３１は、対象画像の権限として制限付き権限をサービス利用者のユーザアカウントに対して設定する。ここで、上記の具体例を想定すると、解析部２８によって解析された対象画像のオブジェクトが学生Ｓであり、その対象画像が学生Ｓのユーザアカウントに対する画像記憶部２２に送付されたとする。この場合、権限設定部３１は、対象画像の権限として制限付き権限を学生Ｓのユーザアカウントに対して設定する。この結果、学生Ｓは、自分のユーザアカウントで画像管理装置１０にログインすることで、ユーザ端末１１を通じて対象画像の閲覧及び印刷注文を行うことができる。その一方で、ユーザ端末１１への対象画像の複製（コピー）は、制限される。
【００９３】
次に、アカウント紐付部２７、解析部２８、画像送付部２９、画像削除部３０及び権限設定部３１の動作例として、図１０に図示の画像送付フローについて説明する。図１０は、画像送付フローの流れを示す図である。なお、以下に説明する画像送付フローの説明では、サービス利用者である学生Ｓがサービス提供者である学校Ｕに所属したケースを例に挙げて説明することとする。
【００９４】
画像送付フローは、学生Ｓが学校Ｕに入学（所属）することを契機として開始される。具体的には、先ず、画像管理装置１０のアカウント紐付部２７が、学生Ｓが学校Ｕに入学したことをサービス管理テーブルＴＢ１に登録し、学生Ｓのユーザアカウントと学校Ｕのユーザアカウントとを紐付ける（Ｓ０１１）。このとき、アカウント紐付部２７は、学校Ｕにおける学生Ｓの在学期間（すなわち、サービス利用期間）も併せてサービス管理テーブルＴＢ１に登録する。
【００９５】
その後、学生Ｓが学校Ｕに在学している期間中、学校Ｕが自分のユーザアカウントで新たな画像を入力（アップロード）すると、画像管理装置１０の画像入力受付部２３が画像入力を受け付ける。これにより、上記の新たな画像（以下、画像Ｐｎ）が、学校Ｕのユーザアカウントに対する画像記憶部２２に記憶されるようになる（Ｓ０１２でＹｅｓ）。
【００９６】
画像Ｐｎが学校Ｕのユーザアカウントに対する画像記憶部２２に記憶されると、これをトリガーとして、画像管理装置１０の解析部２８が、画像Ｐｎを対象画像とし、対象画像に写ったオブジェクトを解析する（Ｓ０１３）。より具体的に説明すると、解析部２８は、対象画像にオブジェクトとして人物が写っているかを判定し、人物が写っている場合には、顔照合用テーブルＴＢ２を参照して、その人物が学生Ｓであるかどうかを判定する（Ｓ０１４）。
【００９７】
そして、対象画像である画像Ｐｎに学生Ｓが写っている場合（Ｓ０１４でＹｅｓ）、画像管理装置１０の画像送付部２９は、画像Ｐｎを学生Ｓのユーザアカウントに対する画像記憶部２２に送付する（Ｓ０１５）。また、これに伴い、画像管理装置１０の権限設定部３１が、送付された画像Ｐｎについての権限として、制限付き権限を学生Ｓのユーザアカウントに対して設定する（Ｓ０１７）。これにより、学生Ｓは、以降、自分のユーザアカウントで画像Ｐｎを活用することができるが、その内容は、画像Ｐｎの閲覧及び印刷注文に制限される。つまり、学生Ｓは、自己のユーザ端末１１を含む外部機器への画像Ｐｎの複製（データコピー）が禁止されているので、例えば自分自身で画像Ｐｎを印刷することができない。そのため、学生Ｓが画像Ｐｎの印刷物を取得しようとする場合には、印刷を業者（例えば、画像Ｐｎを提供した写真撮影業者等）に注文する形になる。この結果、学生Ｓによる画像Ｐｎの活用機会を確保することが可能となる。
【００９８】
一方、画像Ｐｎについての権限に関して説明を補足しておくと、学校Ｕのユーザアカウントに対しては、画像Ｐｎの入力時点において既に全許可権限が権限設定部３１によって設定されている。なお、画像Ｐｎについて学校Ｕのユーザアカウントに対しては全許可権限が設定されるものの、当然ながら、学校Ｕは、画像Ｐｎに写った学生の肖像権を侵さないように、学生本人および父兄に対して配慮することが望ましい。また、全許可権限が設定されるものの、学校Ｕのユーザアカウントから、学校Ｕにとって新規なユーザアカウントに画像を送付しようとする場合に、学校Ｕのユーザアカウントに対し警告を発するようにしてもよい。
また、画像送付部２９が画像Ｐｎを学生Ｓのユーザアカウントに対する画像記憶部２２に送付した後の時点では、学校Ｕのユーザアカウントに対する画像Ｐｎの権限が、引き続き全許可権限のままとなっている。
【００９９】
ちなみに、上記の一連のステップＳ０１２〜Ｓ０１７は、学生Ｓが学校Ｕに在学している期間中、学校Ｕのユーザアカウントに対する画像記憶部２２に新たな画像（画像Ｐｎ）が記憶される度に繰り返し実施される。
【０１００】
その後、学生Ｓが学校Ｕを卒業して学校Ｕのサービス利用期間が終了すると（Ｓ０１８でＹｅｓ）、画像管理装置１０の画像削除部３０が、学校Ｕのユーザアカウントに対する画像記憶部２２から画像Ｐｎを削除する（Ｓ０１９）。これにより、学校Ｕのユーザアカウントに対する画像記憶部２２のデータ使用容量が、画像Ｐｎの分だけ削減されることになる。
【０１０１】
また、画像Ｐｎの削除に伴い、権限設定部３１が画像Ｐｎについての権限を再設定する（Ｓ０２０）。具体的に説明すると、画像Ｐｎの削除後、権限設定部３１は、学生Ｓのユーザアカウントに対する画像Ｐｎの権限を、制限付き権限から全許可権限に設定し直す。これにより、学生Ｓ（厳密には、学生Ｓであった者）は、学校Ｕを卒業した後に、自分のユーザアカウントで画像Ｐｎを自由に活用することができるようになり、例えば、自己のユーザ端末１１への画像Ｐｎの複製（データコピー）を行うことができるようになる。
【０１０２】
また、権限設定部３１は、画像Ｐｎの削除後、学校Ｕのユーザアカウントに対する画像Ｐｎの権限を、全許可権限から制限付き権限に設定し直す。それ以降、学校Ｕ側での画像Ｐｎの活用が制限されるようになる。つまり、学生Ｓは、学校Ｕを卒業した後には、画像Ｐｎ（すなわち、学生Ｓが写った画像）を学校Ｕが無断で活用するのを防ぐことが可能となる。
なお、学校Ｕは、学校Ｕのユーザアカウントに対する画像Ｐｎの権限が制限付き権限に変わった後、画像Ｐｎの活用を希望する場合には、画像管理装置１０を通じて各種活用に関する申立て及び問い合わせ等を行うことができる。
【０１０３】
ステップＳ０２０が終了すると、その時点で画像送付フローが終了する。ちなみに、ステップＳ０１４において、画像Ｐｎに写ったオブジェクトが学生Ｓでない場合（Ｓ０１４でＮｏ）、画像送付部２９は、例えば、該当する他の学生のユーザアカウントに対する画像記憶部２２に画像Ｐｎを送付する（Ｓ０１６）。その場合にも、ステップＳ０１７〜ステップＳ０２０の各ステップが上記と同様の要領によって実施される。
【０１０４】
以上までに説明してきたように、本実施形態に係る画像管理装置１０は、アカウント記憶部２１と、ユーザアカウント別の画像記憶部２２と、アカウント紐付部２７と、解析部２８と、画像送付部２９とを有する。アカウント紐付部２７は、サービス利用者がサービス提供者によるサービスの利用を開始すると、サービス利用者のユーザアカウントとサービス提供者のユーザアカウントとを紐付けする。解析部２８は、サービス提供者のユーザアカウントに対する画像記憶部２２に記憶された画像中、サービス利用者のユーザアカウントとサービス提供者のユーザアカウントとの紐付後に記憶された画像を対象画像とし、対象画像に写っているオブジェクトを解析する。画像送付部２９は、サービス利用者と関連するオブジェクトが対象画像に写っているとき、予め設定された画像送付時点にて対象画像を、サービス利用者のユーザアカウントに対する画像記憶部２２に送付する。
【０１０５】
以上のように構成された画像管理装置１０によれば、サービス提供者のユーザアカウントで記憶されたサービス利用者に関する画像（例えば、サービス利用者が写っている画像）を、サービス利用者がサービス利用後にも活用することができる。かかる点において、画像管理装置１０は、特許文献１に記載された画像管理装置よりも優位である。
【０１０６】
具体的に説明すると、特許文献１に記載された画像管理装置では、何らかの事情により、共有設定された画像が共有フォルダから削除される可能性がある。また、特許文献１に記載された画像管理装置では、組織の構成員に対して画像共有が設定されている場合において、組織を脱退した構成員には、共有画像の閲覧が不可となる可能性がある。削除または閲覧不可となった画像については、それ以降の閲覧及びその他の活用ができなくなってしまう。
【０１０７】
これに対して、本実施形態に係る画像管理装置１０であれば、サービス提供者のユーザアカウントで記憶された画像中、サービス利用者に関する画像が、サービス利用者のユーザアカウントに対する画像記憶部２２に送付される。これにより、サービス利用者がサービス利用を終えたことに伴って、サービス利用者に関する画像がサービス提供者のユーザアカウントから削除されたり、サービス提供者のユーザアカウントで記憶された画像の閲覧許可がなくなったりしても、サービス利用者は、引き続き、サービス利用者に関する画像を閲覧及び活用することができる。また、サービス利用者に関する画像を引き続き活用できるので、サービス利用終了後にも、上記の画像を用いてサービス利用者のアルバムＡＬを作成することが可能である。
【０１０８】
また、本実施形態では、サービス利用者のユーザアカウントに対する画像記憶部２２に送付された画像は、所定の時間に至ると、サービス提供者のユーザアカウントに対する画像記憶部２２から削除される。これにより、サービス提供者のユーザアカウントに対する画像記憶部２２におけるデータ使用容量を削減することが可能となる。
【０１０９】
また、本実施形態では、サービス利用者のユーザアカウントに対する画像記憶部２２に送付された画像についてサービス利用者に対して設定される権限が、一定期間中は制限付き権限となる。具体的には、上記画像の閲覧及び印刷注文が可能である一方で、外部機器への上記画像の複製（コピー）等が制限される。このように上記の画像の取り扱いを一定期間だけ制限すれば、上記の画像を用いて商売を行う業者（例えば、画像印刷業者）の利益を確保しながら、サービス利用者による上記の画像の活用機会を確保することが可能となる。
【０１１０】
ところで、上述したアルバム作成フロー及び画像送付フローでは、本発明の画像管理方法が採用されている。換言すれば、本発明の画像管理方法は、アルバム作成フロー及び画像送付フローにおける各ステップをコンピュータに実行させるためのプログラム（具体的には、画像管理プログラム）によって実施することができる。
また、画像管理プログラムが記録されたコンピュータに読み取り可能な記録媒体を提供することも可能である。記録媒体としては、フレキシブルディスク等の磁気ディスク；ＣＤ−ＲＯＭ（Compact Disc Read Only Memory）、ＤＶＤ（Digital Versatile Disc）及びＢｌｕ-ｒａｙディスク（登録商標）等の光ディスク、ＭＯ（Magneto-Optical disk）等の光磁気ディスク；並びにこれら以外のリムーバブルメディア等が挙げられる。なお、画像管理プログラムを例えば、磁気ディスク、光ディスク、あるいは光磁気ディスク等によって構成された記憶装置に予め記憶しておき、その記憶装置から通信回線を介してコンピュータに画像管理プログラムを提供（ダウンロード）してもよい。
【０１１１】
［画像送付フローの変形例］
上述した画像送付フローでは、学生Ｓが学校Ｕに在学している間に、学生Ｓが写った画像が学校Ｕのユーザアカウントに対する画像記憶部２２に新たに記憶されると、その時点で上記の画像が学生Ｓのユーザアカウントに対する画像記憶部２２に送付されることとした。ただし、これに限定されるものはなく、画像送付のタイミングについては、例えば図１１の図示した変形例が考えられる。以下、図１１を参照しながら、変形例に係る画像送付フローについて説明する。図１１は、変形例に係る画像送付フローの流れを示す図である。
なお、変形例についても、サービス利用者である学生Ｓがサービス提供者である学校Ｕに所属したケースを例に挙げて説明することとする。
【０１１２】
変形例に係る画像送付フローのうち、学生Ｓのユーザアカウントと学校Ｕのユーザアカウントとの紐付け（Ｓ０２１）、新たな画像（画像Ｐｎ）の入力及び記憶（Ｓ０２２）、画像Ｐｎ中のオブジェクトの解析（Ｓ０２３）は、上述した画像送付フロー（図１０に図示の画像送付フロー）と同様である。
【０１１３】
変形例に係る画像送付フローでは、画像Ｐｎ中に写っているオブジェクトが学生Ｓである場合（Ｓ０２４）、画像Ｐｎの送付先を、学生Ｓのユーザアカウントに対する画像記憶部２２に設定する（Ｓ０２５）。ただし、この時点では、まだ画像Ｐｎの送付が行われていない。
【０１１４】
その後、学生Ｓが学校Ｕを卒業して学校Ｕのサービス利用期間が終了すると（Ｓ０２７でＹｅｓ）、その時点で、画像送付部２９が画像Ｐｎを学生Ｓのユーザアカウントに対する画像記憶部２２に送付する（Ｓ０２８）。このように変形例では、画像送付時点が学生Ｓの卒業後（すなわち、サービス利用者がサービス利用を終えた後）に設定されている。
【０１１５】
また、変形例では、画像Ｐｎの送付に伴い、画像削除部３０が学校Ｕのユーザアカウントに対する画像記憶部２２から画像Ｐｎを削除する（Ｓ０２９）。その後、権限設定部３１が画像Ｐｎについての権限を設定する（Ｓ０３０）。具体的に説明すると、権限設定部３１は、学生Ｓのユーザアカウントに対する画像Ｐｎの権限を全許可権限に設定し、学校Ｕのユーザアカウントに対する画像Ｐｎの権限を、全許可権限から制限付き権限に変更する。
【０１１６】
ステップＳ０３０が終了すると、その時点で、変形例に係る画像送付フローが終了する。ちなみに、ステップＳ０２４において、画像Ｐｎに写ったオブジェクトが学生Ｓでない場合（Ｓ０２４でＮｏ）、例えば、該当する他の学生のユーザアカウントに対する画像記憶部２２を画像Ｐｎの送付先として設定する（Ｓ０２６）。その場合にも、ステップＳ０２７〜ステップＳ０３０の各ステップが上記と同様の要領によって実施される。
【符号の説明】
【０１１７】
１０  画像管理装置
１１  ユーザ端末
１２  データベース
２１  アカウント記憶部
２２  画像記憶部
２３  画像入力受付部
２４  アルバム作成部
２５  評価値算出部
２６  アルバム更新部
２７  アカウント紐付部
２８  解析部
２９  画像送付部
３０  画像削除部
３１  権限設定部
ＡＬ  アルバム
Ｐａ１，Ｐａ２，Ｐａ３，Ｐａ４，Ｐａ５  画像
Ｐｓ１，Ｐｓ２  画像
Ｐｕ１，Ｐｕ２，Ｐｕ３，Ｐｕ４，Ｐｕ５  画像
ＴＢ１  サービス管理テーブル
ＴＢ２  顔照合用テーブル
ＴＢ３  権限管理テーブル
Ｎ  ネットワーク
【図１】
2020052670.tif 000003
【図２】
2020052670.tif 000004
【図３】
2020052670.tif 000005
【図４】
2020052670.tif 000006
【図５】
2020052670.tif 000007
【図６】
2020052670.tif 000008
【図７】
2020052670.tif 000009
【図８】
2020052670.tif 000010
【図９】
2020052670.tif 000011
【図１０】
2020052670.tif 000012
【図１１】
2020052670.tif 000013